(57)【要約】      （修正有）【課題】表示用領域と不透明領域の両方を所望の色とすることが可能な表示装置用前面保護板、及び、この表示装置用前面保護板を備えた表示装置を提供する。【解決手段】表示装置用前面保護板１は、透光性基板１１と、透光性基板の一方の面上に、透光性基板の色を調整する第１の色調整層１２と、白色顔料を含む樹脂から構成される第１の加飾層１４と、第１の加飾層の色を調整する第２の色調整層１３と、を有し、第１の色調整層が、透光性基板の表示用領域Ｐ１と不透明領域Ｑ１に設けられており、第２の色調整層が、透光性基板の不透明領域に設けられた第１の色調整層の上に設けられており、第１の加飾層が、第２の色調整層の上に設けられている。【選択図】図１
2018010029.tif 000002
【特許請求の範囲】
【請求項１】
表示用領域と、該表示用領域の外周部に設けられ可視光を遮蔽する不透明領域とを有する表示装置用前面保護板であって、
透光性基板と、
前記透光性基板の一方の面上に、
前記透光性基板の色を調整する第１の色調整層と、
白色顔料を含む樹脂から構成される第１の加飾層と、
前記第１の加飾層の色を調整する第２の色調整層と、
を有し、
前記第１の色調整層が、前記透光性基板の前記表示用領域と前記不透明領域に設けられており、
前記第２の色調整層が、前記透光性基板の前記不透明領域に設けられた前記第１の色調整層の上に設けられており、
前記第１の加飾層が、前記第２の色調整層の上に設けられていることを特徴とする、表示装置用前面保護板。
【請求項２】
前記第２の色調整層が、赤色顔料を含む樹脂から構成されることを特徴とする、請求項１に記載の表示装置用前面保護板。
【請求項３】
表示用領域と、該表示用領域の外周部に設けられ可視光を遮蔽する不透明領域とを有する表示装置用前面保護板であって、
透光性基板と、
前記透光性基板の一方の面上に、
前記透光性基板の色を調整する第１の色調整層と、
白色顔料と第２の色調整用顔料を含む樹脂から構成される第２の加飾層と、
を有し、
前記第１の色調整層が、前記透光性基板の前記表示用領域と前記不透明領域に設けられており、
前記第２の加飾層が、前記透光性基板の前記不透明領域に設けられた前記第１の色調整層の上に設けられていることを特徴とする、表示装置用前面保護板。
【請求項４】
前記第２の加飾層が、前記第２の色調整用顔料として赤色顔料を含むことを特徴とする、請求項３に記載の表示装置用前面保護板。
【請求項５】
表示用領域と、該表示用領域の外周部に設けられ可視光を遮蔽する不透明領域とを有する表示装置用前面保護板であって、
透光性基板と、
前記透光性基板の一方の面上に、
前記透光性基板の色を調整する第１の色調整層と、
白色顔料を含む樹脂から構成される第１の加飾層と、
前記第１の加飾層の色を調整する第３の色調整層と、
を有し、
前記第１の色調整層が、前記透光性基板の前記表示用領域に設けられ、前記不透明領域には設けられておらず、
前記第３の色調整層が、前記透光性基板の前記不透明領域に設けられており、
前記第１の加飾層が、前記第３の色調整層の上に設けられていることを特徴とする、表示装置用前面保護板。
【請求項６】
前記第３の色調整層が、紫色顔料を含む樹脂から構成されることを特徴とする、請求項５に記載の表示装置用前面保護板。
【請求項７】
表示用領域と、該表示用領域の外周部に設けられ可視光を遮蔽する不透明領域とを有する表示装置用前面保護板であって、
透光性基板と、
前記透光性基板の一方の面上に、
前記透光性基板の色を調整する第１の色調整層と、
白色顔料と第３の色調整用顔料を含む樹脂から構成される第３の加飾層と、
を有し、
前記第１の色調整層が、前記透光性基板の前記表示用領域に設けられ、前記不透明領域には設けられておらず、
前記第３の加飾層が、前記透光性基板の前記不透明領域に設けられていることを特徴とする、表示装置用前面保護板。
【請求項８】
前記第３の加飾層が、前記第３の色調整用顔料として紫色顔料を含むことを特徴とする、請求項７に記載の表示装置用前面保護板。
【請求項９】
表示用領域と、該表示用領域の外周部に設けられ可視光を遮蔽する不透明領域とを有する表示装置用前面保護板であって、
透光性基板と、
前記透光性基板の一方の面上に、
前記透光性基板の色を調整する第１の色調整層と、
白色顔料を含む樹脂から構成される第１の加飾層と、
を有し、
前記第１の色調整層が、前記透光性基板の前記表示用領域に設けられ、前記不透明領域には設けられておらず、
前記第１の加飾層が、前記透光性基板の前記不透明領域に設けられていることを特徴とする、表示装置用前面保護板。
【請求項１０】
請求項１〜９のいずれか１項に記載の表示装置用前面保護板と、表示パネルと、を有し、前記表示装置用前面保護板が、前記透光性基板の第１の色調整層が設けられた側の面を前記表示パネルに対向するように配設されていることを特徴とする、表示装置。
【発明の詳細な説明】
【技術分野】
【０００１】
本発明は、表示装置用前面保護板と、これを備えた表示装置に関する。
【背景技術】
【０００２】
一般に、液晶表示装置、プラズマディスプレイパネル、有機ＥＬ表示装置、電子ペーパー等の表示装置の前面側（表示光の出射側、観察者側）には、表示装置の保護のための表示装置用前面保護板が設けられている。このような表示装置用前面保護板には、表示装置の表示用領域の外周部に配置された配線やコネクタ等を隠蔽して、外観を損ねないようにする加飾層を有するものが好適に用いられている（例えば、特許文献１）。
このような加飾層としては、遮光性を確保するために、黒色を呈するものが多く用いられている。しかしながら、デザイン性など商品価値を高めるために黒色以外の色も求められ、最近では白色を呈するものも多く用いられている（例えば、特許文献２、３）。
【先行技術文献】
【特許文献】
【０００３】
【特許文献１】特開２０１４−５２７７５号公報
【特許文献２】特開２０１５−１４７３３号公報
【特許文献３】特開２０１５−２５９６６号公報
【発明の概要】
【発明が解決しようとする課題】
【０００４】
上記のような表示装置用前面保護板を構成する透光性基板には、従来からガラス基板が主に用いられてきているが、より屈曲容易とするために、ガラス基板に換えてポリイミド（ＰＩ）樹脂等から構成されるフレキシブル性を有する透光性基板を用いることが望まれている。
但し、ポリイミド（ＰＩ）樹脂基板を透光性基板として用いる場合、材料の特性上、短波長の光をカットしてしまうため、表示装置用前面保護板の表示用領域の色が黄味によってしまうことになる。
そこで、このポリイミド（ＰＩ）樹脂基板の一方の面上に、このポリイミド（ＰＩ）樹脂基板の色を調整する色調整層を設けて所望の色にすることが提案されている。
【０００５】
しかしながら、図１１に示すように、透光性基板１０１として、ポリイミド（ＰＩ）樹脂基板を用い、その一方の面の全面に色調整層１０２を設け、その上に従来の白色を呈する加飾層１０３を形成した表示装置用前面保護板１００においては、表示用領域Ｐ１００の色は所望の色にすることが出来ても、不透明領域Ｑ１００の色は、加飾層１０３が、色調整層１０２の色の影響を受けてしまい、白の色が暗くなってしまうという問題があった。
【０００６】
なお、図１１は、従来の表示装置用前面保護板の一例について示す図であり、（ａ）は概略平面図、（ｂ）は（ａ）のＦ−Ｆ線における概略断面図を示す。
また、図１１においては省略しているが、白色を呈する加飾層１０３の下側（色調整層１０２とは反対側）の面上には、通常、遮光性を補うための遮光層が設けられている。黒色を呈する加飾層とは異なり、白色を呈する加飾層は、薄膜化の要求に応じると遮光性が不十分になり易く、この不足する遮光性を補うためである。
【０００７】
本発明は、上記実情に鑑みてなされたものであり、表示用領域と不透明領域のそれぞれの色を調整することにより、表示用領域と不透明領域の両方を所望の色とすることが可能な表示装置用前面保護板、及び、この表示装置用前面保護板を備えた表示装置を提供することを目的とする。
【課題を解決するための手段】
【０００８】
すなわち、本発明の請求項１に係る発明は、表示用領域と、該表示用領域の外周部に設けられ可視光を遮蔽する不透明領域とを有する表示装置用前面保護板であって、透光性基板と、前記透光性基板の一方の面上に、前記透光性基板の色を調整する第１の色調整層と、白色顔料を含む樹脂から構成される第１の加飾層と、前記第１の加飾層の色を調整する第２の色調整層と、を有し、前記第１の色調整層が、前記透光性基板の前記表示用領域と前記不透明領域に設けられており、前記第２の色調整層が、前記透光性基板の前記不透明領域に設けられた前記第１の色調整層の上に設けられており、前記第１の加飾層が、前記第２の色調整層の上に設けられていることを特徴とする、表示装置用前面保護板である。
【０００９】
また、本発明の請求項２に係る発明は、前記第２の色調整層が、赤色顔料を含む樹脂から構成されることを特徴とする、請求項１に記載の表示装置用前面保護板である。
【００１０】
また、本発明の請求項３に係る発明は、表示用領域と、該表示用領域の外周部に設けられ可視光を遮蔽する不透明領域とを有する表示装置用前面保護板であって、透光性基板と、前記透光性基板の一方の面上に、前記透光性基板の色を調整する第１の色調整層と、白色顔料と第２の色調整用顔料を含む樹脂から構成される第２の加飾層と、を有し、前記第１の色調整層が、前記透光性基板の前記表示用領域と前記不透明領域に設けられており、前記第２の加飾層が、前記透光性基板の前記不透明領域に設けられた前記第１の色調整層の上に設けられていることを特徴とする、表示装置用前面保護板である。
【００１１】
また、本発明の請求項４に係る発明は、前記第２の加飾層が、前記第２の色調整用顔料として赤色顔料を含むことを特徴とする、請求項３に記載の表示装置用前面保護板である。
【００１２】
また、本発明の請求項５に係る発明は、表示用領域と、該表示用領域の外周部に設けられ可視光を遮蔽する不透明領域とを有する表示装置用前面保護板であって、透光性基板と、前記透光性基板の一方の面上に、前記透光性基板の色を調整する第１の色調整層と、白色顔料を含む樹脂から構成される第１の加飾層と、前記第１の加飾層の色を調整する第３の色調整層と、を有し、前記第１の色調整層が、前記透光性基板の前記表示用領域に設けられ、前記不透明領域には設けられておらず、前記第３の色調整層が、前記透光性基板の前記不透明領域に設けられており、前記第１の加飾層が、前記第３の色調整層の上に設けられていることを特徴とする、表示装置用前面保護板である。
【００１３】
また、本発明の請求項６に係る発明は、前記第３の色調整層が、紫色顔料を含む樹脂から構成されることを特徴とする、請求項５に記載の表示装置用前面保護板である。
【００１４】
また、本発明の請求項７に係る発明は、表示用領域と、該表示用領域の外周部に設けられ可視光を遮蔽する不透明領域とを有する表示装置用前面保護板であって、透光性基板と、前記透光性基板の一方の面上に、前記透光性基板の色を調整する第１の色調整層と、白色顔料と第３の色調整用顔料を含む樹脂から構成される第３の加飾層と、を有し、前記第１の色調整層が、前記透光性基板の前記表示用領域に設けられ、前記不透明領域には設けられておらず、前記第３の加飾層が、前記透光性基板の前記不透明領域に設けられていることを特徴とする、表示装置用前面保護板である。
【００１５】
また、本発明の請求項８に係る発明は、前記第３の加飾層が、前記第３の色調整用顔料として紫色顔料を含むことを特徴とする、請求項７に記載の表示装置用前面保護板である。
【００１６】
また、本発明の請求項９に係る発明は、表示用領域と、該表示用領域の外周部に設けられ可視光を遮蔽する不透明領域とを有する表示装置用前面保護板であって、透光性基板と、前記透光性基板の一方の面上に、前記透光性基板の色を調整する第１の色調整層と、白色顔料を含む樹脂から構成される第１の加飾層と、を有し、前記第１の色調整層が、前記透光性基板の前記表示用領域に設けられ、前記不透明領域には設けられておらず、前記第１の加飾層が、前記透光性基板の前記不透明領域に設けられていることを特徴とする、表示装置用前面保護板である。
【００１７】
また、本発明の請求項１０に係る発明は、請求項１〜９のいずれか１項に記載の表示装置用前面保護板と、表示パネルと、を有し、前記表示装置用前面保護板が、前記透光性基板の第１の色調整層が設けられた側の面を前記表示パネルに対向するように配設されていることを特徴とする、表示装置である。
【発明の効果】
【００１８】
本発明によれば、表示用領域と不透明領域の両方を所望の色とすることが可能な表示装置用前面保護板、及び、この表示装置用前面保護板を備えた表示装置を提供することができる。
【図面の簡単な説明】
【００１９】
【図１】本発明に係る表示装置用前面保護板の第１の実施形態の一例について示す図
【図２】本発明に係る表示装置用前面保護板の第２の実施形態の一例について示す図
【図３】本発明に係る表示装置用前面保護板の第３の実施形態の一例について示す図
【図４】本発明に係る表示装置用前面保護板の第４の実施形態の一例について示す図
【図５】本発明に係る表示装置用前面保護板の第５の実施形態の一例について示す図
【図６】本発明に係る表示装置の一例について示す図
【図７】本発明に係る表示装置の第１の実施形態の一例について示す図
【図８】本発明に係る表示装置の第２の実施形態の一例について示す図
【図９】本発明に係る表示装置の第３の実施形態の一例について示す図
【図１０】Ｌ*ａ*ｂ*表色系色度図における本発明の白色の定義範囲を示す図
【図１１】従来の表示装置用前面保護板の一例について示す図
【発明を実施するための形態】
【００２０】
＜表示装置用前面保護板＞
まず、本発明に係る表示装置用前面保護板について説明する。
なお、以下の各実施形態における構成（例えば、透光性基板、第１〜３の色調整層、第１〜３の加飾層）は、各実施形態における必要最小限の構成について述べるものであって、本発明に係る表示装置用前面保護板は、これら以外の構成（例えば、透明電極等）を適宜有していてもよい。
【００２１】
（第１の実施形態）
まず、本発明に係る表示装置用前面保護板の第１の実施形態について説明する。
図１は、本発明に係る表示装置用前面保護板の第１の実施形態の一例について示す図である。ここで、（ａ）は概略平面図であり、（ｂ）は（ａ）のＡ−Ａ線における概略断面図である。
【００２２】
図１（ａ）に示すように、表示装置用前面保護板１は、表示用領域Ｐ１を有し、表示用領域Ｐ１の外周部に、可視光を遮蔽する不透明領域Ｑ１を有している。
表示用領域Ｐ１は、表示装置用前面保護板１を表示装置に配置した際に、表示装置用前面保護板１を透して、表示装置が表示する内容を表示できる領域である。
一方、不透明領域Ｑ１は、表示装置用前面保護板１を表示装置に配置した際に、表示用領域Ｐ１の外周部に配置された配線やコネクタ等を隠蔽して、外観を損ねないようにする為の領域である。また、不透明領域Ｑ１は、それが表現する色や模様、適宜設けるロゴやマークなどの可視情報によって加飾部にもなる領域である。なお、図示はしないが、不透明領域Ｑ１には、赤外線を透過する領域が設けられていてもよい。
【００２３】
また、図１（ｂ）に示すように、表示装置用前面保護板１は、透光性基板１１と、透光性基板１１の一方の面上に、透光性基板１１の色を調整する第１の色調整層１２と、白色顔料を含む樹脂から構成される第１の加飾層１４と、第１の加飾層１４の色を調整する第２の色調整層１３と、を有しており、第１の色調整層１２が、透光性基板１１の表示用領域Ｐ１と不透明領域Ｑ１に設けられており、第２の色調整層１３が、透光性基板１１の不透明領域Ｑ１に設けられた第１の色調整層１２の上に設けられており、第１の加飾層１４が、第２の色調整層１３の上に設けられている。
【００２４】
ここで、図１（ｂ）においては省略しているが、第１の加飾層１４の下側（第２の色調整層１３とは反対側）の面上には、遮光性を補うための遮光層が設けられていてもよい。黒色を呈する加飾層とは異なり、白色を呈する加飾層は、薄膜化の要求に応じると遮光性が不十分になり易く、この不足する遮光性を補うためである。
【００２５】
この遮光層は、例えば、黒色顔料を含む樹脂から構成されるものを用いることができる。
この黒色顔料には、例えば、チタンブラック（低次酸化チタン、酸窒化チタンなど）、カーボンブラックなどを用いることができる。
樹脂としては、基本的には特に制限はないが、耐久性などの点で、硬化性樹脂を用いることが好ましい。
【００２６】
なお、表示装置用前面保護板１を表示装置に配置した際には、第１の加飾層１４の下側（透光性基板１１とは反対側）に表示装置の表示パネル等が配置され、第１の加飾層１４の下側から透光性基板１１の上側に向かって、表示装置の表示光が出射する。換言すれば、透光性基板１１の側が、観察者側になる。
【００２７】
このように、表示装置用前面保護板１は、表示用領域Ｐ１においては、第１の色調整層１２によって透光性基板１１の色を調整することができ、不透明領域Ｑ１においては、透光性基板１１と第１の加飾層１４の間に、第１の色調整層１２及び第２の色調整層１３を設けることで、透光性基板１１の上側から観察者が見る第１の加飾層１４の色を、所望の白色に調整することができる。
それゆえ、表示装置用前面保護板１においては、ガラス基板に換えてポリイミド（ＰＩ）樹脂等から構成されるフレキシブル性を有する透光性基板を用いた場合でも、表示用領域Ｐ１と不透明領域Ｑ１の両方を所望の色とすることができる。
【００２８】
（白色について）
本発明において、白色を呈するとは、文字通りの白色以外に、極僅かに色みを有する白色も含む。なお、理想的な白色は、反射率が１００％で色相を全くもたない色であるが、現実的には難しい色である。よって、本発明においては、「白色」を次のように定義する。
すなわち、本発明において「白色」とは、ＪＩＳ  Ｚ  ８７２９による、Ｌ*ａ*ｂ*表色系にて、明度Ｌ*、色度ａ*及び色度ｂ*について、
明度Ｌ*は、Ｌ*≧８０、好ましくはＬ*≧９０、より好ましくはＬ*≧９５、
色度ａ*は、−０．５≦ａ*≦０．５、及び
色度ｂ*は、−０．５≦ｂ*≦０．５
を示す色と定義する。
【００２９】
なお、明度については、色度ａ*及び色度ｂ*が上記範囲内であれば、要求される白色の色意匠により、明度が低いものも求められることがあるので、一概に明度が高いほどよいと言いきれるものでもないが、より白いものと言う意味では明度が高い方がよい。
【００３０】
Ｌ*は明度の指標であり、ａ*及びｂ*はともに色相及び彩度の両方が関係する指標である。図１０は、この色相及び彩度を表わす色度ａ*及び色度ｂ*を座標軸とするＬ*ａ*ｂ*表色系色度図を示す。同図で、ａ*の図面左側のマイナス方向が緑色方向であり、ａ*の図面右側のプラス方向が赤色方向であり、ｂ*の図面下側のマイナス方向が青色方向であり、ｂ*の図面上側のプラス方向が黄色方向である。なお、紙面に垂直方向が明度Ｌ*の座標軸となる。同図にて、本発明における白色の定義域を、点線の四角形で示す。
【００３１】
以下、表示装置用前面保護板１を構成する各部材について説明する。
【００３２】
（透光性基板１１）
透光性基板１１は、フレキシブル性を有する部材であり、第１の加飾層１４を支持する部材である。
【００３３】
ここで、「透光性」とは、特段の断りがない限り、表示装置用前面保護板１を備える表示装置の観察者が、表示用領域Ｐ１からの視認を妨げない程度に透明性を有していることをいう。したがって、この「透光性」は、無色透明、および視認性を妨げない程度の有色透明を含み、また厳密な透過率で定義されず、表示装置用前面保護板１の用途等に応じて透光性の度合いを決定することができる。
【００３４】
透光性基板１１は、フレキシブル性を有する部材であれば特に限定されない。ここで、フレキシブル性を有するとは、耐屈曲性試験を行うことにより確認することができる。例えば、ユアサシステム株式会社製  ＤＬＤＭＬＨ−ＦＵ  面状体Ｕ字繰り返し試験機を用いて曲げ半径Ｒ＝３ｍｍ、回転数１２０ｒｐｍ／ｍｉｎ、ストローク２０ｍｍの条件下にて測定することにより確認することができる。
【００３５】
透光性基板１１を構成する材料としては、所定のフレキシブル性を付与することができる材料であることが好ましい。例えば、ポリイミド（ＰＩ）、ポリエチレンテレフタレート（ＰＥＴ）、ポリエチレンナフタレート（ＰＥＮ）等のポリエステル樹脂、またはアクリル樹脂、ポリカーボネート樹脂、シクロオレフィン樹脂等が挙げられる。また、厚みによってはガラス基材を用いることもできる。屈曲性や耐熱性等の観点から、ポリイミド（ＰＩ）を用いることが好ましい。
【００３６】
透光性基板１１の厚みは、所定のフレキシブル性を有し、表示装置用前面保護板として機能する程度の剛性を有する厚みであることが好ましい。透光性基板１１の具体的な厚みは、２０μｍ〜１００μｍの範囲内であることが好ましく、中でも２０μｍ〜８５μｍの範囲内であることが好ましく、特に３０μｍ〜６０μｍの範囲内であることが好ましい。
【００３７】
透光性基板１１は、市販のものを準備しても良いが、例えば、ガラス基材上に、所定の樹脂組成物を塗布して所望の透明基材を形成しても良い。樹脂組成物を、ガラス基材上に塗布する塗布法としては、例えば、スピンコート法、ロールコート法、ダイコート法、スプレーコート法、ビードコート法等の公知の方法が挙げられる。
【００３８】
（第１の色調整層１２）
第１の色調整層１２は、観察者が視認する、表示装置用前面保護板１の表示用領域Ｐ１における透光性基板１１の色を、所望の透明な色に調整する部材である。
例えば、上記のように、ポリイミド（ＰＩ）を、透光性基板１１を構成する材料として用いる場合、材料の特性上、短波長の光をカットしてしまうため、表示用領域Ｐ１の色が黄味によってしまうことになる。
そこで、透光性基板１１の一方の面上に、第１の色調整層１２を設けて、観察者が視認する、透光性基板１１の表示用領域Ｐ１における色を、所望の透明な色に調整する。
【００３９】
第１の色調整層１２を構成する材料としては、青色顔料を含む樹脂を用いることができる。
この青色顔料には、例えば、銅フタロシアニン系、アントラキノン系などの青色顔料を用いることができる。
樹脂としては、基本的には特に制限はないが、耐久性などの点で、硬化性樹脂を用いることが好ましい。硬化性樹脂を用いる場合、第１の色調整層１２は硬化性樹脂の硬化物からなる層として形成される。
【００４０】
第１の色調整層１２の厚みは、上記のような色調整が可能な範囲であって、透光性基板１１のフレキシブル性を損なわない厚みであることが好ましい。
第１の色調整層１２の厚みとしては、例えば、０．１μｍ〜２．０μｍの範囲、好ましくは、０．２μｍ〜１．０μｍ、さらに好ましくは、０．３μｍ〜０．８μｍとすることができる。
【００４１】
第１の色調整層１２は、例えば、透光性基板１１上に、所定の樹脂組成物を塗布して形成することができる。樹脂組成物を、透光性基板１１上に塗布する塗布法としては、例えば、スピンコート法、ロールコート法、ダイコート法、スプレーコート法、ビードコート法等の公知の方法が挙げられる。
【００４２】
（第２の色調整層１３）
第２の色調整層１３は、透光性基板１１、第１の色調整層１２、及び、第２の色調整層１３を介して、観察者が視認する、表示装置用前面保護板１の不透明領域Ｑ１における第１の加飾層１４の色を、所望の白色に調整する部材である。
【００４３】
第２の色調整層１３を構成する材料としては、赤色顔料を含む樹脂を用いることができる。
この赤色顔料には、例えば、ジケトピロロピロール系、アントラキノン系、ペリレン系などの赤色顔料を用いることができる。例えば、Ｃ.Ｉ.ピグメントレッド１７７等を好適に用いることができる。
【００４４】
樹脂としては、基本的には特に制限はないが、耐久性などの点で、硬化性樹脂を用いることが好ましい。硬化性樹脂を用いる場合、第２の色調整層１３は硬化性樹脂の硬化物からなる層として形成される。
硬化性樹脂としては、紫外線、電子線、可視光線などの活性エネルギー線で硬化可能な感光性樹脂を用いることができる。感光性樹脂を用いることで、精細なパターン形成が可能なフォトリソグラフィ法によって形成することができる。
また、硬化性樹脂としては、熱硬化性樹脂を用いてもよい。熱硬化性樹脂を用いることで、印刷法によって、第２の色調整層１３を形成することができる。
【００４５】
第２の色調整層１３の厚みは、上記のような色調整が可能な範囲であって、透光性基板１１のフレキシブル性を損なわない厚みであることが好ましい。
第２の色調整層１３の厚みとしては、例えば、０．２μｍ〜３．０μｍの範囲、好ましくは、０．３μｍ〜１．０μｍ、さらに好ましくは、０．４μｍ〜０．８μｍとすることができる。
【００４６】
第２の色調整層１３は、例えば、上記のように、感光性樹脂を材料に用いることで、フォトリソグラフィ法によって、第１の色調整層１２の上の所望の位置に、所望の形態で形成することができる。また、第２の色調整層１３は、熱硬化性樹脂を材料に用いて印刷法により、第１の色調整層１２の上の所望の位置に形成してもよい。
【００４７】
（第１の加飾層１４）
第１の加飾層１４は、表示装置用前面保護板１が備えられる表示装置の表示用領域の外周部に配置された配線やコネクタ等を隠蔽して、外観を損ねないようにする部材であって、透光性基板１１、第１の色調整層１２、及び第２の色調整層１３を介して白色を呈するものである。
【００４８】
第１の加飾層１４を構成する材料としては、白色顔料を含む樹脂を用いることができる。
この白色顔料には、例えば、酸化チタン、シリカ、タルク、カオリン、クレイ、硫酸バリウム、水酸化カルシウム、などを用いることができる。
【００４９】
樹脂としては、基本的には特に制限はないが、耐久性などの点で、硬化性樹脂を用いることが好ましい。硬化性樹脂を用いる場合、第１の加飾層１４は硬化性樹脂の硬化物からなる層として形成される。
硬化性樹脂としては、例えば、紫外線、電子線、可視光線などの活性エネルギー線で硬化可能な感光性樹脂を用いることができる。感光性樹脂を用いることで、精細なパターン形成が可能なフォトリソグラフィ法によって形成することができる。
また、硬化性樹脂としては、熱硬化性樹脂を用いてもよい。熱硬化性樹脂を用いることで、印刷法によって、第１の加飾層１４を形成することができる。
【００５０】
第１の加飾層１４の厚みは、表示装置用前面保護板１を構成した際に、所望の白色を呈する範囲であって、透光性基板１１のフレキシブル性を損なわない厚みであることが好ましい。
第１の加飾層１４の厚みとしては、例えば、５．０μｍ〜３０．０μｍの範囲、好ましくは、７．０μｍ〜２５．０μｍ、さらに好ましくは、８．０μｍ〜２２．０μｍとすることができる。
【００５１】
第１の加飾層１４は、例えば、上記のように、感光性樹脂を材料に用いることで、フォトリソグラフィ法によって、第２の色調整層１３の上に形成することができる。
また、第１の加飾層１４は、熱硬化性樹脂を材料に用いて印刷法によって、第２の色調整層１３の上に形成してもよい。
【００５２】
（第２の実施形態）
次に、本発明に係る表示装置用前面保護板の第２の実施形態について説明する。
図２は、本発明に係る表示装置用前面保護板の第２の実施形態の一例について示す図である。ここで、（ａ）は概略平面図であり、（ｂ）は（ａ）のＢ−Ｂ線における概略断面図である。
【００５３】
図２（ａ）に示すように、表示装置用前面保護板２は、表示用領域Ｐ２を有し、表示用領域Ｐ２の外周部に、可視光を遮蔽する不透明領域Ｑ２を有している。
なお、表示装置用前面保護板２の表示用領域Ｐ２および不透明領域Ｑ２の機能は、上記の第１の実施形態における表示装置用前面保護板１の表示用領域Ｐ１および不透明領域Ｑ１の機能と同様であるため、その詳細説明は省略する。
【００５４】
また、図２（ｂ）に示すように、表示装置用前面保護板２は、透光性基板２１と、透光性基板２１の一方の面上に、透光性基板２１の色を調整する第１の色調整層２２と、白色顔料と第２の色調整用顔料を含む樹脂から構成される第２の加飾層２３と、を有し、第１の色調整層２２が、透光性基板２１の表示用領域Ｐ２と不透明領域Ｑ２に設けられており、第２の加飾層２３が、透光性基板１１の不透明領域Ｑ２に設けられた第１の色調整層２２の上に設けられている。
【００５５】
ここで、図２（ｂ）においては省略しているが、上記の第１の実施形態における表示装置用前面保護板１と同様に、第２の加飾層２３の下側（第１の色調整層２２とは反対側）の面上には、遮光性を補うための遮光層が設けられていてもよい。
【００５６】
なお、表示装置用前面保護板２を表示装置に配置した際には、第２の加飾層２３の下側（透光性基板２１とは反対側）に表示装置の表示パネル等が配置され、第２の加飾層２３の下側から透光性基板２１の上側に向かって、表示装置の表示光が出射する。
【００５７】
このように、表示装置用前面保護板２は、表示用領域Ｐ２においては、第１の色調整層２２によって透光性基板２１の色を調整することができ、不透明領域Ｑ２においては、透光性基板２１及び第１の色調整層２２を介して観察者が見る第２の加飾層２３の色を、第２の加飾層２３に含まれる第２の色調整用顔料によって、所望の白色に調整することができる。
それゆえ、表示装置用前面保護板２においては、ガラス基板に換えてポリイミド（ＰＩ）樹脂等から構成されるフレキシブル性を有する透光性基板を用いた場合でも、表示用領域Ｐ２と不透明領域Ｑ２の両方を所望の色とすることができる。
【００５８】
以下、表示装置用前面保護板２を構成する各部材について説明する。
なお、上記の表示装置用前面保護板１を構成する各部材と内容が重複する事項に関しては適宜省略する。
【００５９】
（透光性基板２１）
透光性基板２１は、フレキシブル性を有する部材であり、第２の加飾層２３を支持する部材である。
この透光性基板２１は、上記の表示装置用前面保護板１における透光性基板１１と同じものであってよい。それゆえ、ここでの詳細説明は省略する。
【００６０】
（第１の色調整層２２）
第１の色調整層２２は、観察者が視認する、表示装置用前面保護板２の表示用領域Ｐ２における透光性基板２１の色を、所望の透明な色に調整する部材である。
この第１の色調整層２２は、上記の表示装置用前面保護板１における第１の色調整層１２と同じもであってよい。それゆえ、ここでの詳細説明は省略する。
【００６１】
（第２の加飾層２３）
第２の加飾層２３は、表示装置用前面保護板２が備えられる表示装置の表示用領域の外周部に配置された配線やコネクタ等を隠蔽して、外観を損ねないようにする部材であって、白色顔料と第２の色調整用顔料を含む樹脂から構成され、透光性基板２１及び第１の色調整層２２を介して、白色を呈するものである。
【００６２】
第２の加飾層２３に含まれる白色顔料には、例えば、酸化チタン、シリカ、タルク、カオリン、クレイ、硫酸バリウム、水酸化カルシウム、などを用いることができる。
また、第２の加飾層２３に含まれる第２の色調整用顔料には、赤色顔料を用いることができる。この赤色顔料には、例えば、ジケトピロロピロール系、アントラキノン系、ペリレン系などの赤色顔料を用いることができる。例えば、Ｃ.Ｉ.ピグメントレッド１７７等を好適に用いることができる。
【００６３】
樹脂としては、基本的には特に制限はないが、耐久性などの点で、硬化性樹脂を用いることが好ましい。
硬化性樹脂としては、例えば、紫外線、電子線、可視光線などの活性エネルギー線で硬化可能な感光性樹脂を用いることができる。感光性樹脂を用いることで、精細なパターン形成が可能なフォトリソグラフィ法によって形成することができる。
また、硬化性樹脂としては、熱硬化性樹脂を用いてもよい。熱硬化性樹脂を用いることで、印刷法によって、第２の加飾層２３を形成することができる。
【００６４】
第２の加飾層２３の厚みは、表示装置用前面保護板２を構成した際に、所望の白色を呈する範囲であって、透光性基板２１のフレキシブル性を損なわない厚みであることが好ましい。
第２の加飾層２３の厚みとしては、例えば、５．０μｍ〜３０．０μｍの範囲、好ましくは、７．０μｍ〜２５．０μｍ、さらに好ましくは、８．０μｍ〜２２．０μｍとすることができる。
【００６５】
第２の加飾層２３は、例えば、上記のように、感光性樹脂を材料に用いることで、フォトリソグラフィ法によって、第１の色調整層２２の上の所望の位置に形成することができる。また、第２の加飾層２３は、熱硬化性樹脂を材料に用いて印刷法によって、第１の色調整層２２の上に形成してもよい。
【００６６】
（第３の実施形態）
次に、本発明に係る表示装置用前面保護板の第３の実施形態について説明する。
図３は、本発明に係る表示装置用前面保護板の第３の実施形態の一例について示す図である。ここで、（ａ）は概略平面図であり、（ｂ）は（ａ）のＣ−Ｃ線における概略断面図である。
【００６７】
図３（ａ）に示すように、表示装置用前面保護板３は、表示用領域Ｐ３を有し、表示用領域Ｐ３の外周部に、可視光を遮蔽する不透明領域Ｑ３を有している。
なお、表示装置用前面保護板３の表示用領域Ｐ３および不透明領域Ｑ３の機能は、上記の第１の実施形態における表示装置用前面保護板１の表示用領域Ｐ１および不透明領域Ｑ１の機能と同様であるため、その詳細説明は省略する。
【００６８】
また、図３（ｂ）に示すように、表示装置用前面保護板３は、透光性基板３１と、透光性基板３１の一方の面上に、透光性基板３１の色を調整する第１の色調整層３２と、白色顔料を含む樹脂から構成される第１の加飾層３４と、第１の加飾層３４の色を調整する第３の色調整層３３と、を有し、第１の色調整層３２が、透光性基板３１の表示用領域Ｐ３に設けられ、不透明領域Ｑ３には設けられておらず、第３の色調整層３３が、透光性基板３１の不透明領域Ｑ３に設けられており、第１の加飾層３４が、第３の色調整層３３の上に設けられている。
【００６９】
ここで、図３（ｂ）においては省略しているが、上記の第１の実施形態における表示装置用前面保護板１と同様に、第１の加飾層３４の下側（第３の色調整層３３とは反対側）の面上には、遮光性を補うための遮光層が設けられていてもよい。
【００７０】
なお、表示装置用前面保護板３を表示装置に配置した際には、第１の加飾層３４の下側（透光性基板３１とは反対側）に表示装置の表示パネル等が配置され、第１の加飾層３４の下側から透光性基板２１の上側に向かって、表示装置の表示光が出射する。
【００７１】
このように、表示装置用前面保護板３は、表示用領域Ｐ３においては、第１の色調整層３２によって透光性基板３１の色を調整することができ、不透明領域Ｑ３においては、透光性基板３１と第１の加飾層３４の間に、第３の色調整層３３を設けることで、透光性基板１１の上側から観察者が見る第１の加飾層３４の色を、所望の白色に調整することができる。
【００７２】
以下、表示装置用前面保護板３を構成する各部材について説明する。
なお、上記の表示装置用前面保護板１、２を構成する各部材と内容が重複する事項に関しては適宜省略する。
【００７３】
（透光性基板３１）
透光性基板３１は、フレキシブル性を有する部材であり、第１の加飾層３４を支持する部材である。
この透光性基板３１は、上記の表示装置用前面保護板１における透光性基板１１と同じものであってよい。それゆえ、ここでの詳細説明は省略する。
【００７４】
（第１の色調整層３２）
第１の色調整層３２は、観察者が視認する、表示装置用前面保護板３の表示用領域Ｐ３における透光性基板３１の色を、所望の透明な色に調整する部材である。
この第１の色調整層３２は、上記の表示装置用前面保護板１における第１の色調整層１２と同じもであってよい。それゆえ、ここでの詳細説明は省略する。
【００７５】
（第１の加飾層３４）
第１の加飾層３４は、表示装置用前面保護板１が備えられる表示装置の表示用領域の外周部に配置された配線やコネクタ等を隠蔽して、外観を損ねないようにする部材であって、透光性基板３１及び第３の色調整層３３を介して白色を呈するものである。
この第１の加飾層３４は、上記の表示装置用前面保護板１における第１の加飾層１４と同じもであってよい。それゆえ、ここでの詳細説明は省略する。
【００７６】
（第３の色調整層３３）
第３の色調整層３３は、透光性基板３１及び第３の色調整層３３を介して、観察者が視認する、表示装置用前面保護板３の不透明領域Ｑ１における第１の加飾層３４の色を、所望の白色に調整する部材である。
【００７７】
第３の色調整層３３を構成する材料としては、紫色顔料を含む樹脂を用いることができる。この紫色顔料には、例えば、キナクリドン系の紫色顔料を用いることができる。例えば、Ｃ.Ｉ.ピグメントバイオレット２３等を好適に用いることができる。
【００７８】
樹脂としては、基本的には特に制限はないが、耐久性などの点で、硬化性樹脂を用いることが好ましい。
硬化性樹脂としては、紫外線、電子線、可視光線などの活性エネルギー線で硬化可能な感光性樹脂を用いることができる。感光性樹脂を用いることで、精細なパターン形成が可能なフォトリソグラフィ法によって形成することができる。
また、硬化性樹脂としては、熱硬化性樹脂を用いてもよい。熱硬化性樹脂を用いることで、印刷法によって、第３の色調整層３３を形成することができる。
【００７９】
第３の色調整層３３の厚みは、上記のような色調整が可能な範囲であって、透光性基板３１のフレキシブル性を損なわない厚みであることが好ましい。
第３の色調整層３３の厚みとしては、例えば、０．２μｍ〜３．０μｍの範囲、好ましくは、０．３μｍ〜１．０μｍ、さらに好ましくは、０．４μｍ〜０．８μｍとすることができる。
【００８０】
第３の色調整層３３は、例えば、上記のように、感光性樹脂を材料に用いることで、フォトリソグラフィ法によって、透光性基板３１の上の所望の位置に、所望の形態で形成することができる。また、第３の色調整層３３は、熱硬化性樹脂を材料に用いて印刷法により、透光性基板３１の上の所望の位置に形成してもよい。
【００８１】
（第４の実施形態）
次に、本発明に係る表示装置用前面保護板の第４の実施形態について説明する。
図４は、本発明に係る表示装置用前面保護板の第４の実施形態の一例について示す図である。ここで、（ａ）は概略平面図であり、（ｂ）は（ａ）のＤ−Ｄ線における概略断面図である。
【００８２】
図４（ａ）に示すように、表示装置用前面保護板４は、表示用領域Ｐ４を有し、表示用領域Ｐ４の外周部に、可視光を遮蔽する不透明領域Ｑ４を有している。
なお、表示装置用前面保護板４の表示用領域Ｐ４および不透明領域Ｑ４の機能は、上記の第１の実施形態における表示装置用前面保護板１の表示用領域Ｐ１および不透明領域Ｑ１の機能と同様であるため、その詳細説明は省略する。
【００８３】
また、図４（ｂ）に示すように、表示装置用前面保護板４は、透光性基板４１と、透光性基板４１の一方の面上に、透光性基板４１の色を調整する第１の色調整層４２と、白色顔料と第３の色調整用顔料を含む樹脂から構成される第３の加飾層４３と、を有し、第１の色調整層４２が、透光性基板４１の表示用領域Ｐ４に設けられ、不透明領域Ｑ４には設けられておらず、第３の加飾層４３が、透光性基板４１の不透明領域Ｑ２に設けられている。
【００８４】
ここで、図４（ｂ）においては省略しているが、上記の第１の実施形態における表示装置用前面保護板１と同様に、第３の加飾層４３の下側（透光性基板４１とは反対側）の面上には、遮光性を補うための遮光層が設けられていてもよい。
【００８５】
なお、表示装置用前面保護板４を表示装置に配置した際には、第３の加飾層４３の下側（透光性基板４１とは反対側）に表示装置の表示パネル等が配置され、第３の加飾層４３の下側から透光性基板４１の上側に向かって、表示装置の表示光が出射する。
【００８６】
このように、表示装置用前面保護板４は、表示用領域Ｐ４においては、第１の色調整層４２によって透光性基板４１の色を調整し、不透明領域Ｑ４においては、透光性基板４１を介して観察者が見る第３の加飾層４３の色を、第３の加飾層４３に含まれる第３の色調整用顔料によって、所望の白色に調整することができる。
それゆえ、表示装置用前面保護板４においては、ガラス基板に換えてポリイミド（ＰＩ）樹脂等から構成されるフレキシブル性を有する透光性基板を用いた場合でも、表示用領域Ｐ４と不透明領域Ｑ４の両方を所望の色とすることができる。
【００８７】
以下、表示装置用前面保護板４を構成する各部材について説明する。
なお、上記の表示装置用前面保護板１〜３を構成する各部材と内容が重複する事項に関しては適宜省略する。
【００８８】
（透光性基板４１）
透光性基板４１は、フレキシブル性を有する部材であり、第３の加飾層４３を支持する部材である。
この透光性基板４１は、上記の表示装置用前面保護板１における透光性基板１１と同じものであってよい。それゆえ、ここでの詳細説明は省略する。
【００８９】
（第１の色調整層４２）
第１の色調整層４２は、観察者が視認する、表示装置用前面保護板４の表示用領域Ｐ４における透光性基板４１の色を、所望の透明な色に調整する部材である。
この第１の色調整層４２は、上記の表示装置用前面保護板１における第１の色調整層１２と同じもであってよい。それゆえ、ここでの詳細説明は省略する。
【００９０】
（第３の加飾層４３）
第３の加飾層４３は、表示装置用前面保護板４が備えられる表示装置の表示用領域の外周部に配置された配線やコネクタ等を隠蔽して、外観を損ねないようにする部材であって、白色顔料と第３の色調整用顔料を含む樹脂から構成され、透光性基板４１を介して、白色を呈するものである。
【００９１】
第３の加飾層４３に含まれる白色顔料には、例えば、酸化チタン、シリカ、タルク、カオリン、クレイ、硫酸バリウム、水酸化カルシウム、などを用いることができる。
また、第３の加飾層４３に含まれる第３の色調整用顔料には、紫色顔料を用いることができる。この紫色顔料には、例えば、キナクリドン系の紫色顔料を用いることができる。例えば、Ｃ.Ｉ.ピグメントバイオレット２３等を好適に用いることができる。
【００９２】
樹脂としては、基本的には特に制限はないが、耐久性などの点で、硬化性樹脂を用いることが好ましい。
硬化性樹脂としては、例えば、紫外線、電子線、可視光線などの活性エネルギー線で硬化可能な感光性樹脂を用いることができる。感光性樹脂を用いることで、精細なパターン形成が可能なフォトリソグラフィ法によって形成することができる。
また、硬化性樹脂としては、熱硬化性樹脂を用いてもよい。熱硬化性樹脂を用いることで、印刷法によって、第３の加飾層４３を形成することができる。
【００９３】
第３の加飾層４３の厚みは、表示装置用前面保護板４を構成した際に、所望の白色を呈する範囲であって、透光性基板４１のフレキシブル性を損なわない厚みであることが好ましい。
第３の加飾層４３の厚みとしては、例えば、５．０μｍ〜３０．０μｍの範囲、好ましくは、７．０μｍ〜２５．０μｍ、さらに好ましくは、８．０μｍ〜２２．０μｍとすることができる。
【００９４】
第３の加飾層４３は、例えば、上記のように、感光性樹脂を材料に用いることで、フォトリソグラフィ法によって、透光性基板４１の上の所望の位置に形成することができる。また、第３の加飾層４３は、熱硬化性樹脂を材料に用いて印刷法によって、透光性基板４１の上に形成してもよい。
【００９５】
（第５の実施形態）
次に、本発明に係る表示装置用前面保護板の第５の実施形態について説明する。
図５は、本発明に係る表示装置用前面保護板の第５の実施形態の一例について示す図である。ここで、（ａ）は概略平面図であり、（ｂ）は（ａ）のＥ−Ｅ線における概略断面図である。
【００９６】
図５（ａ）に示すように、表示装置用前面保護板５は、表示用領域Ｐ５を有し、表示用領域Ｐ５の外周部に、可視光を遮蔽する不透明領域Ｑ５を有している。
なお、表示装置用前面保護板５の表示用領域Ｐ５および不透明領域Ｑ５の機能は、上記の第１の実施形態における表示装置用前面保護板１の表示用領域Ｐ１および不透明領域Ｑ１の機能と同様であるため、その詳細説明は省略する。
【００９７】
また、図５（ｂ）に示すように、表示装置用前面保護板５は、透光性基板５１と、透光性基板５１の一方の面上に、透光性基板５１の色を調整する第１の色調整層５２と、白色顔料を含む樹脂から構成される第１の加飾層５３と、を有し、第１の色調整層５２が、透光性基板５１の表示用領域Ｐ５に設けられ、不透明領域Ｑ５には設けられておらず、第１の加飾層５３が、透光性基板５１の不透明領域Ｑ５に設けられている。
【００９８】
ここで、図５（ｂ）においては省略しているが、上記の第１の実施形態における表示装置用前面保護板１と同様に、第１の加飾層５３の下側（透光性基板５１とは反対側）の面上には、遮光性を補うための遮光層が設けられていてもよい。
【００９９】
なお、表示装置用前面保護板５を表示装置に配置した際には、第１の加飾層５３の下側（透光性基板５１とは反対側）に表示装置の表示パネル等が配置され、第１の加飾層５３の下側から透光性基板５１の上側に向かって、表示装置の表示光が出射する。
【０１００】
このように、表示装置用前面保護板５は、表示用領域Ｐ５においては、第１の色調整層５２によって透光性基板５１の色を調整することができ、不透明領域Ｑ３においては、透光性基板５１と第１の加飾層５３の間に、第１の色調整層５２を設けない構成とすることで、透光性基板５１の上側から観察者が見る第１の加飾層５３の色を、所望の白色に調整することができる。
【０１０１】
以下、表示装置用前面保護板５を構成する各部材について説明する。
なお、上記の表示装置用前面保護板１〜４を構成する各部材と内容が重複する事項に関しては適宜省略する。
【０１０２】
（透光性基板５１）
透光性基板５１は、フレキシブル性を有する部材であり、第１の加飾層５３を支持する部材である。
この透光性基板５１は、上記の表示装置用前面保護板１における透光性基板１１と同じものであってよい。それゆえ、ここでの詳細説明は省略する。
【０１０３】
（第１の色調整層５２）
第１の色調整層５２は、観察者が視認する、表示装置用前面保護板５の表示用領域Ｐ５における透光性基板５１の色を、所望の透明な色に調整する部材である。
この第１の色調整層５２は、上記の表示装置用前面保護板１における第１の色調整層１２と同じもであってよい。それゆえ、ここでの詳細説明は省略する。
【０１０４】
（第１の加飾層５３）
第１の加飾層５３は、表示装置用前面保護板５が備えられる表示装置の表示用領域の外周部に配置された配線やコネクタ等を隠蔽して、外観を損ねないようにする部材であって、透光性基板５１を介して白色を呈するものである。
【０１０５】
第１の加飾層５３を構成する材料としては、白色顔料を含む樹脂を用いることができる。
この白色顔料には、例えば、酸化チタン、シリカ、タルク、カオリン、クレイ、硫酸バリウム、水酸化カルシウム、などを用いることができる。
【０１０６】
樹脂としては、基本的には特に制限はないが、耐久性などの点で、硬化性樹脂を用いることが好ましい。硬化性樹脂を用いる場合、第１の加飾層５３は硬化性樹脂の硬化物からなる層として形成される。
硬化性樹脂としては、例えば、紫外線、電子線、可視光線などの活性エネルギー線で硬化可能な感光性樹脂を用いることができる。感光性樹脂を用いることで、精細なパターン形成が可能なフォトリソグラフィ法によって形成することができる。
また、硬化性樹脂としては、熱硬化性樹脂を用いてもよい。熱硬化性樹脂を用いることで、印刷法によって、第１の加飾層５３を形成することができる。
【０１０７】
第１の加飾層５３の厚みは、表示装置用前面保護板５を構成した際に、所望の白色を呈する範囲であって、透光性基板５１のフレキシブル性を損なわない厚みであることが好ましい。
第１の加飾層５３の厚みとしては、例えば、５．０μｍ〜３０．０μｍの範囲、好ましくは、７．０μｍ〜２５．０μｍ、さらに好ましくは、８．０μｍ〜２２．０μｍとすることができる。
【０１０８】
第１の加飾層５３は、例えば、上記のように、感光性樹脂を材料に用いることで、フォトリソグラフィ法によって、透光性基板５１の上の所望の位置に形成することができる。
また、第１の加飾層５３は、熱硬化性樹脂を材料に用いて印刷法によって、透光性基板５１の上に形成してもよい。
【０１０９】
＜表示装置＞
次に、本発明に係る表示装置について説明する。
本発明に係る表示装置は、上記の本発明に係る表示装置用前面保護板と、表示パネルと、を有し、前記表示装置用前面保護板が、前記透光性基板の第１の色調整層が設けられた側の面を前記表示パネルに対向するように配設されているものである。
【０１１０】
図６は、本発明に係る表示装置の一例について示す図であり、より詳しくは、本発明に係る表示装置の一例について示す分解平面図である。
図６に示すように、表示装置２００は、表示装置用前面保護板２０１と表示パネル２０３を有している。そして、表示装置用前面保護板２０１が、透光性基板の第１の色調整層が設けられた側の面を表示パネル２０３に対向するように配設されている。
なお、図６に示す表示装置２００においては、表示装置用前面保護板２０１と表示パネル２０３の間にタッチパネル２０２を有している形態である。
以下、本発明に係る表示装置の各実施形態について、順次説明する。
【０１１１】
（第１の実施形態：タッチパネル機能を一体化した表示装置用前面保護板：その１）
図７は、本発明に係る表示装置の第１の実施形態の一例を示す断面図であり、同図に示す表示装置２１０は、図面上方の透光性基板１１側の表側から順に、表示装置用前面保護板２１１、表示パネル２１３を備えている。
【０１１２】
［表示装置用前面保護板２１１］
本実施形態での表示装置用前面保護板２１１は、タッチパネル機能を一体化した構成のものが用いられる。
表示装置用前面保護板２１１は、前述した表示装置用前面保護板１にタッチパネル機能として、さらに透明電極２０４と配線２０５とを有し、この透明電極２０４として、図示はしないが、第１透明電極２０４ａと第２透明電極２０４ｂとを有する形態のものである。
【０１１３】
なお、図７に示す表示装置用前面保護板２１１は、一例として、前述した表示装置用前面保護板１にタッチパネル機能を一体化した構成のものを例示しているが、本実施形態においては、この表示装置用前面保護板１に換えて、前述した表示装置用前面保護板２〜５を同様に用いてよい。
また、本実施形態においては、さらに、タッチパネルとして機能するための制御回路など、その他の構成要素を備えることができる。
【０１１４】
したがって、表示装置用前面保護板２１１は、タッチパネル用の透明電極２０４及び配線２０５以外に、さらに制御回路、この制御回路と配線２０５を電気的に接続するコネクタなどのタッチパネル機能の全部が一体化されたものとしてもよい。もちろん、この場合、タッチパネルの機能の全部が一体化された表示装置用前面保護板２１１を用いる場合は、独立したタッチパネルは備える必要はなく、表示装置用前面保護板２１１と、表示パネル２１３とを少なくとも備えた構成の表示装置となる。この形態では、表示パネル２１３の外周部の配線、コネクタ、制御回路などを隠せることになる。
【０１１５】
［表示パネル２１３］
表示パネル２１３は、液晶表示パネル、電界発光（ＥＬ）パネルが代表的であるが、この他、電子ペーパーパネル、ブラウン管でもよく、公知の各種表示パネルでよい。
【０１１６】
［本実施形態における効果］
以上のような構成の表示装置２１０とすることで、その表示装置用前面保護板２１１において、表示用領域Ｐ１と不透明領域Ｑ１の両方を所望の色とすることが可能になる。
さらにタッチパネル機能が一体化しているので、部品点数が減り組み立て工数が少なくなり、低コストなものとできる。
【０１１７】
（第２の実施形態：タッチパネル機能を一体化した表示装置用前面保護板：その２）
図８は、本発明に係る表示装置の第２の実施形態の一例を示す断面図であり、同図に示す表示装置２２０は、図面上方の透光性基板１１側の表側から順に、表示装置用前面保護板２２１、タッチパネル構成部材２２２ａ、表示パネル２２３を備えている。
【０１１８】
図７で例示した第１の実施形態による表示装置２１０では、表示装置用前面保護板２１１はタッチパネル機能の一部として、透明電極２０４（第１透明電極２０４ａと第２透明電極２０４ｂの両方）と配線２０５を備えることで、タッチパネル機能が一体化している形態であった。
【０１１９】
一方、図８に例示する本実施形態による表示装置２２０は、透明電極２０４の第１透明電極２０４ａと配線２０５ａを表示装置用前面保護板２２１が備え、第１透明電極２０４ｂと配線２０５ｂをタッチパネル構成部材２２２ａが備える形態である。
互いに絶縁される第１透明電極２０４ａと第２透明電極２０４ｂとの２層を必要とする形態では、第１透明電極２０４ａ及び第２透明電極２０４ｂからなる透明電極によるタッチパネルの位置検知方式は、投影型静電容量方式でもよいが、投影型静電容量方式以外のものでもよい。
【０１２０】
どのような構成で表示装置用前面保護板２２１とタッチパネル構成部材２２２ａとを一体化するかは、使用し得る製造設備、組立工程などの諸条件に適した、構成を選べばよい。
【０１２１】
なお、表示パネル２２３は、上記第１の実施形態の表示パネル２１３と同様であるので、説明は省略する。
【０１２２】
また、図８に示す表示装置用前面保護板２２１は、一例として、前述した表示装置用前面保護板１に、第１透明電極２０４ａと配線２０５ａを備えた構成のものを例示しているが、本実施形態においては、この表示装置用前面保護板１に換えて、前述した表示装置用前面保護板２〜５を同様に用いてよい。
【０１２３】
［本実施形態における効果］
以上のような構成の表示装置２２０とすることで、その表示装置用前面保護板２２１において、表示用領域Ｐ１と不透明領域Ｑ１の両方を所望の色とすることが可能になる。
さらにタッチパネル機能が一体化しているので、部品点数が減り組み立て工数が少なくなり、低コストなものとできる。
【０１２４】
（第３の実施形態：タッチパネル機能は一体化しない表示装置用前面保護板）
本実施形態は、表示装置用前面保護板が、タッチパネル用の透明電極２０４及び配線２０５を備えていない構成であり、タッチパネル機能が一体化されていない構成である。
図９は、本発明に係る表示装置の第３の実施形態の一例を示す断面図であり、同図に示す表示装置２３０は、図面上方の透光性基板１１側の表側から順に、表示装置用前面保護板２３１、タッチパネル２３２、表示パネル２３３を備えている。そして、表示装置用前面保護板２３１とタッチパネル２３２との間は、樹脂層２０６で埋め尽くされている。
タッチパネル２３２には、模式的に、透明電極２０４と配線２０５とを図示してある。
表示パネル２３３は、上記第１の実施形態の表示パネル２１３と同様であるので、説明は省略する。
【０１２５】
［表示装置用前面保護板２３１］
表示装置用前面保護板２３１は、タッチパネル機能を備えていない構成のものが用いられる。
ここで、図９に示す表示装置用前面保護板２３１は、一例として、前述した表示装置用前面保護板１を例示しているが、本実施形態においては、この表示装置用前面保護板１に換えて、前述した表示装置用前面保護板２〜５を同様に用いてよい。
また、図示はしないが、表示装置用前面保護板２３１は、不透明領域Ｑ１に配線を備えることもできる。このように表示装置用前面保護板２３１が配線も備える構成の場合には、この配線は、タッチパネル用ではなく、例えばセンサ接続用などとして用いることができる。
【０１２６】
［タッチパネル２３２］
タッチパネル２３２は、典型的には、マルチタッチ（多点同時入力）が可能な投影型静電容量方式のタッチパネルであるが、この他、表面型静電容量方式、電磁誘導方式、光学方式など、透明電極を必要としない位置検知方式も含めた公知の各種位置検知方式のタッチパネルのいずれでもよい。
タッチパネル２３２は、中央の位置検知領域の外周部に、配線、制御回路、これらを電気的に接続するコネクタなどの何らかの不透明な構成要素を有する。これらの不透明な構成要素は、表示装置用前面保護板２３１の不透明領域Ｑ１と平面視において重なる位置に設けることで、これら配線などの不透明な構成要素が、表示装置２３０の外観を損なわない様にすることができる。
【０１２７】
［樹脂層２０６］
樹脂層２０６は透明な層であり、粘着シート、塗布した樹脂液の固化層などを用いることができる。粘着シートとしては、アクリル系粘着剤、ポリエステル系粘着剤、エポキシ系粘着剤、シリコーン系粘着剤などからなるものを用いることができる。樹脂液としては、アクリル系光硬化性樹脂などを用いることができる。
樹脂層２０６によって部材表面での光反射が減ることで、表示をより見易くすることができる。
【０１２８】
［本実施形態における効果］
以上のような構成の表示装置２３０とすることで、その表示装置用前面保護板２３１において、表示用領域Ｐ１と不透明領域Ｑ１の両方を所望の色とすることが可能になる。
さらにタッチパネル機能が樹脂層２０６により積層一体化しているので、部品点数が減り組み立て工数が少なくなり、低コストなものとできる。
【０１２９】
（表示装置としての変形形態）
本発明の表示装置は、上記した形態以外のその他の形態をとり得る。以下、その一部を説明する。
【０１３０】
［タッチパネルを備えない形態］
上記各実施形態における表示装置は、いずれもタッチパネル機能を有する構成であったが、本発明においては、表示装置は、タッチパネルを備えないなどタッチパネル機能を備えていない構成であってもよい。
【０１３１】
［樹脂層の介在］
図７及び図８で例示した実施形態による表示装置では、表示装置用前面保護板と表示パネルとの間は、空隙を有し空気層が存在する構造となっているが、本発明においては、表示装置用前面保護板と表示パネルとの間など、構成部材の間は、図９で例示した第３の実施形態で説明したように、粘着剤層など樹脂層２０６で埋め尽くしてもよい。樹脂層２０６によって部材表面での光反射が減ることで、表示をより見易くすることができる。
【０１３２】
以上、本発明に係る表示装置用前面保護板及び表示装置について、それぞれの実施形態を説明したが、本発明は、上記実施形態に限定されるものではない。上記実施形態は例示であり、本発明の特許請求の範囲に記載された技術的思想と実質的に同一の構成を有し、同様な作用効果を奏するものは、いかなる場合であっても本発明の技術的範囲に包含される。
【実施例】
【０１３３】
以下、実施例、比較例を用いて、本発明をさらに具体的に説明する。
まず、実施例１〜５、及び、比較例１に用いる硬化性樹脂組成物について、説明する。
【０１３４】
（硬化性樹脂組成物の調製）
重合槽中にメタクリル酸メチル（ＭＭＡ）を６３重量部、アクリル酸（ＡＡ）を１２重量部、メタクリル酸−２−ヒドロキシエチル（ＨＥＭＡ）を６重量部、ジエチレングリコールジメチルエーテル（ＤＭＤＧ）を８８重量部仕込み、攪拌し溶解させた後、２，２’−アゾビス（２−メチルブチロニトリル）を７重量部添加し、均一に溶解させた。
その後、窒素気流下、８５℃で２時間攪拌し、更に１００℃で１時間反応させた。
得られた溶液に、更にメタクリル酸グリシジル（ＧＭＡ）を７重量部、トリエチルアミンを０．４重量部、及びハイドロキノンを０．２重量部添加し、１００℃で５時間攪拌し、共重合樹脂溶液（固形分５０％）を得た。
次に下記の材料を室温で攪拌、混合して硬化性樹脂組成物とした。
【０１３５】
（硬化性樹脂組成物の組成）
・上記共重合樹脂溶液（固形分５０％）：１６重量部
・ジペンタエリスリトールペンタアクリレート（サートマー社  SR399）：２４重量部
・オルソクレゾールノボラック型エポキシ樹脂（油化シェルエポキシ社  エピコート180S70）：４重量部
・２−メチル−１−（４‐メチルチオフェニル）−２−モルフォリノプロパン−１−オン：４重量部
・ジエチレングリコールジメチルエーテル：５２重量部
【０１３６】
（白色硬化物樹脂組成物）
・白色顔料分散液白色顔料（酸化チタン、顔料濃度５０質量％）：３３重量部
・上記硬化性樹脂組成物：１７重量部
・溶剤（プロピレングリコールモノメチルエーテルアセテート：ＰＧＭＥＡ）：５０重量部
【０１３７】
（青色硬化物樹脂組成物）
・Ｃ．Ｉ．ピグメントブルー１５：６分散液：１３重量部
・上記硬化性樹脂組成物：５重量部
・溶剤（プロピレングリコールモノメチルエーテルアセテート：ＰＧＭＥＡ）：８２重量部
【０１３８】
（赤色硬化性樹脂組成物の組成）
・Ｃ.Ｉ.ピグメントレッド１７７分散液：１３重量部
・上記硬化性樹脂組成物：５重量部
・溶剤（プロピレングリコールモノメチルエーテルアセテート：ＰＧＭＥＡ）：８２重量部
【０１３９】
（紫色硬化性樹脂組成物の組成）
・Ｃ.Ｉ.ピグメントバイオレット２３分散液：１３重量部
・上記硬化性樹脂組成物：５重量部（固形分４０％）
・溶剤（プロピレングリコールモノメチルエーテルアセテート：ＰＧＭＥＡ）：８２重量部
【０１４０】
次に、実施例１〜５、及び、比較例１について、説明する。
ここで、実施例１〜５、及び、比較例１のＹＩの測定方法は、島津製作所製の分光光度計UV-vis（UV-2550）を用い、得られたスペクトルから、下記式に従ってＹＩを算出した。
ＹＩ=100×（1.2985×Ｘ−1.1335×Ｚ）／Ｙ
【０１４１】
（実施例１）
透光性基板１１として、ＹＩが３．８となるポリイミド（ＰＩ）フィルムを用い、透光性基板１１の表示用領域と不透明領域に、第１の色調整層１２として、ＹＩが１．７となるように上記青色硬化物樹脂組成物を形成し、第１の色調整層１２を形成後、透光性基板１１の不透明領域に、第２の色調整層１３として、Ｃ光源において（x,y,Y）＝（0.314,0.316,97.6）となるように上記赤色硬化物樹脂組成物を形成し、その上に、第１の加飾層１４として、白色硬化物樹脂組成物を膜厚２０μｍで形成し、図１に示す形態の表示装置用前面保護板１を得た。
なお、上記の白色硬化物樹脂組成物の上（第２の色調整層１３とは反対側）には、膜厚１．０μｍの遮光層を形成した。
【０１４２】
（実施例２）
透光性基板２１として、ＹＩが３．８となるポリイミド（ＰＩ）フィルムを用い、透光性基板２１の表示用領域と不透明領域に、第１の色調整層２２として、ＹＩが１．７となるように上記青色硬化物樹脂組成物を形成し、第１の色調整層２２を形成後、透光性基板１１の不透明領域に、第２の加飾層２３として、上記白色硬化物樹脂組成物と上記赤色硬化物樹脂組成物を混合した調色白色硬化物樹脂組成物を、膜厚２０μｍで形成し、図２に示す形態の表示装置用前面保護板２を得た。
なお、上記の白色硬化物樹脂組成物の上（第１の色調整層２２とは反対側）には、実施例１と同様にして、膜厚１．０μｍの遮光層を形成した。
【０１４３】
（実施例３）
透光性基板３１として、ＹＩが３．８となるポリイミド（ＰＩ）フィルムを用い、透光性基板３１の表示用領域に、第１の色調整層３２として、ＹＩが１．７となるように上記青色硬化物樹脂組成物を形成し、第１の色調整層３２を形成後、透光性基板３１の不透明領域に、第３の色調整層３３として、Ｃ光源において（x,y,Y）＝（0.310,0.314,97.2）となるように上記紫色硬化物樹脂組成物を形成し、その上に、第１の加飾層３４として、膜厚２０μｍの白色硬化物樹脂組成物を形成し、図３に示す形態の表示装置用前面保護板３を得た。
なお、上記の白色硬化物樹脂組成物の上（第３の色調整層３３とは反対側）には、実施例１と同様にして、膜厚１．０μｍの遮光層を形成した。
ここで、上記のＹＩの測定方法は、島津製作所製の分光光度計UV-vis（UV-2550）を用い、得られたスペクトルから、下記式に従ってＹＩを算出した。
ＹＩ=100×（1.2985×Ｘ−1.1335×Ｚ）／Ｙ
【０１４４】
（実施例４）
透光性基板４１として、ＹＩが３．８となるポリイミド（ＰＩ）フィルムを用い、透光性基板４１の表示用領域に、第１の色調整層４２として、ＹＩが１．７となるように上記青色硬化物樹脂組成物を形成し、第１の色調整層４２を形成後、透光性基板３１の不透明領域に、第３の加飾層４３として、白色硬化物樹脂組成物と上記紫色硬化物樹脂組成物を混合した調色白色硬化物樹脂組成物を、膜厚２０μｍで形成し、図４に示す形態の表示装置用前面保護板４を得た。
なお、上記の調色白色硬化物樹脂組成物の上（透光性基板４１とは反対側）には、実施例１と同様にして、膜厚１．０μｍの遮光層を形成した。
【０１４５】
（実施例５）
透光性基板５１として、ＹＩが３．８となるポリイミド（ＰＩ）フィルムを用い、透光性基板５１の表示用領域に、第１の色調整層５２として、ＹＩが１．７となるように上記青色硬化物樹脂組成物を形成し、第１の色調整層５２を形成後、透光性基板５１の不透明領域に、第１の加飾層５３として、上記の白色硬化物樹脂組成物を、膜厚２０μｍで形成し、図５に示す形態の表示装置用前面保護板５を得た。
なお、上記の白色硬化物樹脂組成物の上（透光性基板５１とは反対側）には、実施例１と同様にして、膜厚１．０μｍの遮光層を形成した。
【０１４６】
（比較例１）
透光性基板１０１として、ＹＩが３．８となるポリイミド（ＰＩ）フィルムを用い、透光性基板１０１の表示用領域と不透明領域に、色調整層１０２として、ＹＩが１．７となるように上記青色硬化物樹脂組成物を形成し、色調整層１０２を形成後、透光性基板１０１の不透明領域に、加飾層１０３として、上記の白色硬化物樹脂組成物を、膜厚２０μｍで形成し、図１１に示す形態の表示装置用前面保護板１００を得た。
なお、上記の白色硬化物樹脂組成物の上（色調整層１０２とは反対側）には、実施例１と同様にして、膜厚１．０μｍの遮光層を形成した。
【０１４７】
（評価）
上記の実施例１〜５、及び、比較例１により得られた各表示装置用前面保護板について、コニカミノルタ（株）製のＣＭ−２５００ｄ（Ｄ６５光源）を用いて、不透明領域の色特性を評価した。結果を表１に示す。
【０１４８】
【表１】
2018010029.tif 000003
【０１４９】
表１に示すように、実施例１〜４においては、不透明領域の色特性が、
Ｌ*≧８０、かつ、−０．５≦ａ*≦０．５、かつ、−０．５≦ｂ*≦０．５
の条件を満たし、白色を呈する点において、優れていた。
実施例５においては、不透明領域の色特性が、Ｌ*≧８０を満たすものの、
−０．５≦ａ*≦０．５、及び、−０．５≦ｂ*≦０．５
の条件は満たすことができなかった。
【０１５０】
一方、比較例１においては、不透明領域の色特性が、Ｌ*≧８０を満たすものの、
−０．５≦ａ*≦０．５、及び、−０．５≦ｂ*≦０．５、
の条件から大きくはずれてしまい、白色を呈する点において、劣るものであった。
【０１５１】
なお、実施例１〜５、及び、比較例１のいずれも、表示領域の色特性は良好であった。
【符号の説明】
【０１５２】
１、２、３、４、５  表示装置用前面保護板
１１、２１、３１、４１、５１  透光性基板
１２、２２、３２、４２、５２  第１の色調整層
１３  第２の色調整層
１４、３４、５３  第１の加飾層
２３  第２の加飾層
３３  第３の色調整層
４３  第３の加飾層
１００  表示装置用前面保護板
１０１  透光性基板
１０２  色調整層
１０３  加飾層
２００、２１０、２２０  表示装置
２０１、２１１、２２１  表示装置用前面保護板
２０２、２２２  タッチパネル
２０３、２１３、２２３  表示パネル
２０４  透明電極
２０４ａ  第１透明電極
２０４ｂ  第２透明電極
２０５、２０５ａ、２０５ｂ  配線
２０６  樹脂層
２２２ａ  タッチパネル構成部材
【図１】
2018010029.tif 000004
【図２】
2018010029.tif 000005
【図３】
2018010029.tif 000006
【図４】
2018010029.tif 000007
【図５】
2018010029.tif 000008
【図６】
2018010029.tif 000009
【図７】
2018010029.tif 000010
【図８】
2018010029.tif 000011
【図９】
2018010029.tif 000012
【図１０】
2018010029.tif 000013
【図１１】
2018010029.tif 000014